(57)【要約】【課題】操作者の望むニーズに対応した長いラベルを容易に作成でき、利便性を向上する。【解決手段】タグラベル作成装置２は、基材テープ１０１に略等間隔にて複数個配置された無線タグ回路素子Ｔoとの間で無線通信により情報の送受信を行うアンテナ１４と、ＩＣ回路部１５１へのアクセス情報を生成し無線タグ回路素子Ｔoへ送信し、ＩＣ回路部１５１への情報書き込み又は情報読みとりを行う信号処理回路２２及び高周波回路２１の送信部３２と、基材テープ１０１を繰り出すための圧着ローラ駆動軸１２と、印字済みタグラベル用テープ１１０を所定の長さに切断し無線タグラベルＴを生成するカッタ１５とを有し、１つの無線タグラベルＴに複数の無線タグ回路素子Ｔoを配置可能とする。【選択図】  図６
2006171836.tif 000002
【特許請求の範囲】
【請求項１】
タグテープに略等間隔にて複数個配置された無線タグ回路素子との間で無線通信により情報の送受信を行う装置側アンテナと、
前記無線タグ回路素子のＩＣ回路部へのアクセス情報を生成し、前記装置側アンテナを介して前記無線タグ回路素子へ送信し、前記無線タグ回路素子のＩＣ回路部への情報書き込み又はＩＣ回路部からの情報読みとりを行う情報アクセス手段と、
前記タグテープを繰り出すための駆動手段と、
前記駆動手段で繰り出された前記タグテープを所定の長さに切断し、前記無線タグ回路素子を備えたタグラベルを生成する切断手段とを有し、
前記１つのタグラベルに複数の前記無線タグ回路素子を配置可能としたことを特徴とするタグラベル作成装置。
【請求項２】
請求項１記載のタグラベル作成装置において、
前記タグラベルへの前記無線タグ回路素子の配置個数を決定する個数決定手段と、
前記無線タグ回路素子の前記情報書き込み又は前記情報読み取りの処理済個数を検出する個数検出手段と、
前記個数決定手段で決定した配置個数と、前記個数検出手段で検出した処理済み個数とに応じて、前記切断手段の制御を行う切断制御手段とを有することを特徴とするタグラベル作成装置。
【請求項３】
請求項２記載のタグラベル作成装置において、
前記個数決定手段で決定した配置個数と、前記個数検出手段で検出した処理済み個数とに応じて、前記情報アクセス手段を制御する情報アクセス制御手段を有することを特徴とするタグラベル作成装置。
【請求項４】
請求項１乃至３のいずれか１項記載のタグラベル作成装置において、
前記タグテープに所定の印字を行う印字手段を有することを特徴とするタグラベル作成装置。
【請求項５】
請求項１乃至４のいずれか１項記載のタグラベル作成装置において、
前記１つの前記タグラベルに配置する前記無線タグ回路素子の個数を、操作者が設定可能な個数設定手段を有し、
前記個数決定手段は、前記個数設定手段における前記操作者による設定に応じて、前記タグラベルへの前記無線タグ回路素子の配置個数を決定することを特徴とするタグラベル作成装置。
【請求項６】
請求項１乃至４のいずれか１項のタグラベル作成装置において、
前記タグラベルの長さを操作者が設定可能なラベル長設定手段を有し、
前記個数決定手段は、前記ラベル長設定手段における前記操作者による設定に応じて、前記タグラベルへの前記無線タグ回路素子の配置個数を決定することを特徴とするタグラベル作成装置。
【請求項７】
請求項１乃至４のいずれか１項記載のタグラベル作成装置において、
前記ＩＣ回路部へ書き込まれる情報量又は前記ＩＣ回路部より読みとられる情報量を検出する情報量検出手段を有し、
前記個数決定手段は、前記情報量検出手段で検出した情報量に応じて、前記タグラベルへの前記無線タグ回路素子の配置個数を決定することを特徴とするタグラベル作成装置。
【請求項８】
請求項４記載のタグラベル作成装置において、
前記印字手段で印字する文字や図柄等を操作者が設定可能な印字設定手段を有し、
前記個数決定手段は、前記印字設定手段における前記操作者による設定に応じて、前記タグラベルへの前記無線タグ回路素子の配置個数を決定することを特徴とするタグラベル作成装置。
【請求項９】
請求項３記載のタグラベル作成装置において、
前記情報アクセス制御手段は、１つの前記タグラベルに複数の前記無線タグ回路素子を配置する場合に、当該タグラベルの前記複数の無線タグ回路素子のＩＣ回路部に実質的に同一の情報を書き込むように、前記情報アクセス手段を制御することを特徴とするタグラベル作成装置。
【請求項１０】
請求項３記載のタグラベル作成装置において、
前記情報アクセス制御手段は、１つの前記タグラベルに複数の前記無線タグ回路素子を配置する場合に、当該タグラベルの前記複数の無線タグ回路素子のＩＣ回路部に互いに異なる情報をそれぞれ書き込むように、前記情報アクセス手段を制御することを特徴とするタグラベル作成装置。
【請求項１１】
請求項３記載のタグラベル作成装置において、
前記情報アクセス制御手段は、１つの前記タグラベルに複数の前記無線タグ回路素子を配置する場合に、当該タグラベルの前記複数の無線タグ回路素子のうち、一部の無線タグ回路素子のＩＣ回路部に情報を書き込み他の無線タグ回路素子の機能を無効化するように、前記情報アクセス手段を制御することを特徴とするタグラベル作成装置。
【請求項１２】
情報を記憶するＩＣ回路部とこのＩＣ回路部に接続されるアンテナとを備えた無線タグ回路素子を複数個有し、
前記ＩＣ回路部に記憶した情報に対応した所定の印字がなされたことを特徴とする無線タグラベル。
【請求項１３】
請求項１２記載の無線タグラベルにおいて、
前記複数の無線タグ回路素子のＩＣ回路部に、実質的に同一の情報が記憶保持されていることを特徴とする無線タグラベル。
【請求項１４】
請求項１２記載の無線タグラベルにおいて、
前記複数の無線タグ回路素子のＩＣ回路部に、互いに異なる情報が記憶保持されていることを特徴とする無線タグラベル。
【請求項１５】
請求項１２記載の無線タグラベルにおいて、
前記複数の無線タグ回路素子のうち、一部の無線タグ回路素子のＩＣ回路部には情報が記憶保持され、他の無線タグ回路素子の機能は無効化されていることを特徴とする無線タグラベル。
【発明の詳細な説明】
【技術分野】
【０００１】
本発明は、外部と情報の無線通信が可能な無線タグラベルを作成するタグラベル作成装置及びこれにより製造した無線タグラベルに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状の素材上に無線タグ回路素子を設けて形成され、このタグラベルが例えば各種書類・物品の分類・整理のために対象物品等に貼り付けられることが多い。また、この無線タグの管理上、タグ自体に併せて文字情報を印字しておくと非常に便利である。これに応じ、従来、無線タグへの情報読み取り／書き込みとタグへの印字とを併せて行うタグラベル作成装置が既に提唱されている。
【０００４】
この従来技術のタグラベル作成装置では、無線タグ回路素子（ＲＦＩＤ）を備えた所定の大きさの複数のラベルを剥離可能に等間隔に配置したテープ（キャリアテープ）を、ロール状に巻回し着脱自在に装着した装着部を備えている。そして、上記装着部のロールからテープを繰り出しつつ、無線タグ回路素子への無線タグ情報の送受を行い、さらにその後各ラベルに所定の印字を行い、これによりタグラベルを連続的に生成するようになっている（例えば、特許文献１参照）。
【０００５】
【特許文献１】特開２００４−２４５８７０号公報（段落番号００３５〜００７５、図１〜図３）
【発明の開示】
【発明が解決しようとする課題】
【０００６】
近年、無線タグの利用の拡大とともに多種多様な用途が望まれており、印字態様を種々変えてラベルを作成したいというニーズが生じつつある。
【０００７】
しかしながら、上記従来技術では、無線タグ回路素子を備えたラベルの大きさ（長さ）が固定的に決まっているため、例えば印字文字数がある程度より多くなるとラベル長に入りきれなくなる。この結果、操作者（ユーザ）の望む印字文字数のうち途中までの印字しか行えない、あるいは、ラベル自体の作成が不可能となる等、いずれにしても操作者の望む印字態様のラベルを作成することはできず、利便性が低下していた。
【０００８】
また、上記印字文字数のニーズ以外にも、用途によっては、印字文字数に関係なくタグラベルのラベル長を長くしたい場合も考えられる。
【０００９】
本発明の目的は、操作者の望むニーズに対応した長いラベルを容易に作成でき、利便性を向上できるタグラベル作成装置及び無線タグラベルを提供することにある。
【課題を解決するための手段】
【００１０】
上記目的を達成するために、第１の発明は、タグテープに略等間隔にて複数個配置された無線タグ回路素子との間で無線通信により情報の送受信を行う装置側アンテナと、前記無線タグ回路素子のＩＣ回路部へのアクセス情報を生成し、前記装置側アンテナを介して前記無線タグ回路素子へ送信し、前記無線タグ回路素子のＩＣ回路部への情報書き込み又はＩＣ回路部からの情報読みとりを行う情報アクセス手段と、前記タグテープを繰り出すための駆動手段と、前記駆動手段で繰り出された前記タグテープを所定の長さに切断し、前記無線タグ回路素子を備えたタグラベルを生成する切断手段とを有し、前記１つのタグラベルに複数の前記無線タグ回路素子を配置可能としたことを特徴とする。
【００１１】
本願第１発明においては、略等間隔にて複数個の無線タグ回路素子を配置したタグテープを駆動手段で繰り出し、この繰り出されたタグテープを切断手段で切断してタグラベルを作成する際、１つのタグラベルに複数の無線タグ回路素子を配置可能としている。これにより、例えばタグラベル長を長くしたい場合、読み取り又は書き込み情報量を多くしたい場合、タグテープに印字を行うときに操作者の望む印字文字数を多くしたい場合、あるいは、それらに関係なく複数の無線タグ回路素子をタグラベルに配置したい等の場合、２個以上の無線タグ回路素子が１つのタグラベルに配置されるように上記繰り出し及び切断を行うことで、操作者のニーズに対応した長いラベルを容易に作成でき、利便性を向上することができる。
【００１２】
第２発明は、上記第１発明において、前記タグラベルへの前記無線タグ回路素子の配置個数を決定する個数決定手段と、前記無線タグ回路素子の前記情報書き込み又は前記情報読み取りの処理済個数を検出する個数検出手段と、前記個数決定手段で決定した配置個数と、前記個数検出手段で検出した処理済み個数とに応じて、前記切断手段の制御を行う切断制御手段とを有することを特徴とする。
【００１３】
本願第２発明においては、個数決定手段でタグラベルへの無線タグ回路素子配置個数を決定し、個数検出手段で実際の無線タグ回路素子の書き込み処理又は読み取り処理の完了した個数を検出し、それら決定した個数と検出した個数とに応じ、切断手段の制御が行われる。これにより、例えば、既に検出した無線タグ回路素子の個数が決定した個数に達していれば書き込み又は読み取りをさらに行うことなく切断手段で切断を行い、検出した無線タグ回路素子の個数が決定した個数に達していなければさらに駆動手段でタグテープを繰り出して書き込み又は読み取りをさらに行う等、決定した個数の無線タグ回路素子をタグラベルに配置することができる。
【００１４】
第３発明は、上記第２発明において、前記個数決定手段で決定した配置個数と、前記個数検出手段で検出した処理済み個数とに応じて、前記情報アクセス手段を制御する情報アクセス制御手段を有することを特徴とする。
【００１５】
これにより、例えば１つのタグラベルに複数の無線タグ回路素子を配置する場合に、各無線タグ回路素子に実質的に同一の情報を書き込むようにしたり、互いに異なる情報を書き込むようにしたり、一部の無線タグ回路素子に情報を書き込み残りを無効化したり等の制御を行うことが可能となる。
【００１６】
第４の発明は、上記第１乃至第３発明のいずれか１つにおいて、前記タグテープに所定の印字を行う印字手段を有することを特徴とする。
【００１７】
例えば操作者が印字手段でタグテープに印字したい文字数が多い場合、その印字文字数に対応した２個以上の個数の無線タグ回路素子を１つのタグラベルに配置するようにタグテープの繰り出し及び切断を行うことで、操作者の望む印字態様のラベルを容易に作成でき、利便性を向上することができる。
【００１８】
第５の発明は、上記第１乃至第４発明のいずれか１つにおいて、前記１つの前記タグラベルに配置する前記無線タグ回路素子の個数を、操作者が設定可能な個数設定手段を有し、前記個数決定手段は、前記個数設定手段における前記操作者による設定に応じて、前記タグラベルへの前記無線タグ回路素子の配置個数を決定することを特徴とする。
【００１９】
本願第５発明においては、操作者が望む無線タグ回路素子の個数に応じて個数設定手段において個数設定を行うと、その個数設定に応じて、個数決定手段が１つのタグラベルにその設定個数の無線タグ回路素子を配置するように決定する。この結果、操作者の望む無線タグ回路素子の個数設定に応じ高い自由度でラベルを作成できるので、利便性をさらに向上することができる。
【００２０】
第６の発明は、上記第１乃至第４発明のいずれか１つにおいて、前記タグラベルの長さを操作者が設定可能なラベル長設定手段を有し、前記個数決定手段は、前記ラベル長設定手段における前記操作者による設定に応じて、前記タグラベルへの前記無線タグ回路素子の配置個数を決定することを特徴とする。
【００２１】
本願第６発明においては、ラベル長設定手段で操作者が望むラベル長の設定を行うと、その設定に応じて、個数決定手段が１つのタグラベルにその設定個数の無線タグ回路素子を配置するように個数を決定する。この結果、操作者が望むラベル長に対応し無線タグ回路素子の個数を調整し高い自由度でラベルを作成できるので、利便性をさらに向上することができる。
【００２２】
第７の発明は、上記第１乃至第４発明のいずれか１つにおいて、前記ＩＣ回路部へ書き込まれる情報量又は前記ＩＣ回路部より読みとられる情報量を検出する情報量検出手段を有し、前記個数決定手段は、前記情報量検出手段で検出した情報量に応じて、前記タグラベルへの前記無線タグ回路素子の配置個数を決定することを特徴とする。
【００２３】
本願第７発明においては、操作者が無線タグ回路素子のＩＣ回路部へ所定の情報量の情報を書き込む又はＩＣ回路部より所定の情報量の情報を読みとると、その情報量が情報量検出手段で検出され、その情報量に応じて、個数決定手段が１つのタグラベルにその設定個数の無線タグ回路素子を配置するように個数を決定する。この結果、操作者が読みとり又は書き込みを行う情報量に応じ無線タグ回路素子の数を調整し高い自由度でラベルを作成できるので、利便性をさらに向上することができる。
【００２４】
第８の発明は、上記第４発明において、前記印字手段で印字する文字や図柄等を操作者が設定可能な印字設定手段を有し、前記個数決定手段は、前記印字設定手段における前記操作者による設定に応じて、前記タグラベルへの前記無線タグ回路素子の配置個数を決定することを特徴とする。
【００２５】
本願第８発明においては、印字設定手段で操作者が望む文字や図柄等の設定を行うと、その設定に応じて、個数決定手段が１つのタグラベルにその設定個数の無線タグ回路素子を配置するように個数を決定する。この結果、操作者が印字したい文字の長さや図柄の大きさ等に応じ無線タグ回路素子の数を調整し高い自由度でラベルを作成できるので、利便性をさらに向上することができる。
【００２６】
第９の発明は、上記第３発明において、前記情報アクセス制御手段は、１つの前記タグラベルに複数の前記無線タグ回路素子を配置する場合に、当該タグラベルの前記複数の無線タグ回路素子のＩＣ回路部に実質的に同一の情報を書き込むように、前記情報アクセス手段を制御することを特徴とする。
【００２７】
複数の無線タグ回路素子のＩＣ回路部に実質同一情報を書き込むことにより、１つのＩＣ回路部との情報送受が何らかの理由で不可能となったとしても他のＩＣ回路部を利用することで当該情報の送受を確保できる。すなわちバックアップ機能を持たせることができる。
【００２８】
第１０の発明は、上記第３発明において、前記情報アクセス制御手段は、１つの前記タグラベルに複数の前記無線タグ回路素子を配置する場合に、当該タグラベルの前記複数の無線タグ回路素子のＩＣ回路部に互いに異なる情報をそれぞれ書き込むように、前記情報アクセス手段を制御することを特徴とする。
【００２９】
複数の無線タグ回路素子のＩＣ回路部に互いに異なる情報を書き込むことにより、例えば書き込もうとする情報量が大きい場合にその情報を複数個に分割しそれぞれ別のＩＣ回路部に書き込ませることで、大きな情報量の情報の書き込みを確実に行うことができる。
【００３０】
第１１の発明は、上記第３発明において、前記情報アクセス制御手段は、１つの前記タグラベルに複数の前記無線タグ回路素子を配置する場合に、当該タグラベルの前記複数の無線タグ回路素子のうち、一部の無線タグ回路素子のＩＣ回路部に情報を書き込み他の無線タグ回路素子の機能を無効化するように、前記情報アクセス手段を制御することを特徴とする。
【００３１】
複数の無線タグ回路素子のＩＣ回路部のうち一方のみに情報を書き込み残りは無効化する、すなわち複数のＩＣ回路部があっても利用するＩＣ回路部はそのうち１つに限定することで、情報送受時の混信等が発生するのを確実に防止することができる。
【００３２】
上記目的を達成するために、第１２発明の無線タグラベルは、情報を記憶するＩＣ回路部とこのＩＣ回路部に接続されるアンテナとを備えた無線タグ回路素子を複数個有し、前記ＩＣ回路部に記憶した情報に対応した所定の印字がなされたことを特徴とする。
【００３３】
これにより、例えば操作者が文字数の多い印字を望む場合にその印字文字数に対応し２個以上の個数の無線タグ回路素子を配置したタグラベルを実現できる。すなわち、操作者のニーズに対応した長いラベルを容易に実現でき、利便性を向上することができる。
【００３４】
第１３の発明は、上記第１２発明において、前記複数の無線タグ回路素子のＩＣ回路部に、実質的に同一の情報が記憶保持されていることを特徴とする。
【００３５】
複数の無線タグ回路素子のＩＣ回路部に実質同一情報を記憶保持することにより、１つのＩＣ回路部とタグラベル装置側との情報送受が何らかの理由で不可能となったとしても他のＩＣ回路部を利用することで当該情報の送受を確保できる。すなわちバックアップ機能を持たせることができる。
【００３６】
第１４の発明は、上記第１２発明において、前記複数の無線タグ回路素子のＩＣ回路部に、互いに異なる情報が記憶保持されていることを特徴とする。
【００３７】
複数の無線タグ回路素子のＩＣ回路部が互いに異なる情報を記憶保持することにより、例えば記憶保持する情報量が大きい場合にその情報を複数個に分割しそれぞれ別のＩＣ回路部で記憶保持することで、大きな情報量の情報の記憶保持を確実に行うことができる。
【００３８】
第１５の発明は、上記第１２発明において、前記複数の無線タグ回路素子のうち、一部の無線タグ回路素子のＩＣ回路部には情報が記憶保持され、他の無線タグ回路素子の機能は無効化されていることを特徴とする。
【００３９】
複数の無線タグ回路素子のＩＣ回路部のうち一方のみが情報を記憶保持し残りは機能が無効化されている、すなわち複数のＩＣ回路部があっても利用するＩＣ回路部はそのうち１つに限定することで、情報送受時の混信等が発生するのを確実に防止することができる。
【発明の効果】
【００４０】
本発明によれば、２個以上の無線タグ回路素子が１つのタグラベルに配置されるように繰り出し及び切断を行うことで、操作者の望むニーズに対応した長いラベルを容易に作成でき、利便性を向上できることができる。
【発明を実施するための最良の形態】
【００４１】
以下、本発明の一実施の形態を図面を参照しつつ説明する。
【００４２】
図１は、本実施形態のタグラベル作成装置が適用される無線タグ生成システム（無線タグ情報通信システム）を表すシステム構成図である。
【００４３】
図１に示すこの無線タグ生成システム１において、本実施形態によるタグラベル作成装置２は、有線あるいは無線による通信回線３を介してルートサーバ４、（操作）端末５、汎用コンピュータ６、及び複数の情報サーバ７に接続されている。
【００４４】
図２は、上記タグラベル作成装置２の詳細構造を表す概念的構成図である。
【００４５】
図２において、タグラベル作成装置２の装置本体８には、凹所としてのカートリッジホルダ部（図示せず）が設けられ、このホルダ部に、カートリッジ１００が着脱可能に取り付けられている。
【００４６】
装置本体８は、カートリッジ１００を嵌合させる上記カートリッジホルダ部を備えるとともに外郭を構成する筐体９と、カバーフィルム１０３に所定の印字（印刷）を行う印字手段としての印字ヘッド（サーマルヘッド）１０と、カバーフィルム（被印字テープ）１０３への印字が終了したインクリボン１０５を駆動するリボン巻取りローラ駆動軸１１と、カバーフィルム１０３と基材テープ１０１とを貼り合わせつつ印字済タグラベル用テープ１１０としてカートリッジ１００から繰り出すための圧着ローラ駆動軸（駆動手段）１２と、印字済タグラベル用テープ１１０に備えられる無線タグ回路素子Ｔo（詳細は後述）との間でＵＨＦ帯等の高周波を用いて無線通信により信号の送受を行うアンテナ（装置側アンテナ）１４と、上記印字済タグラベル用テープ１１０を所定のタイミングで所定の長さに切断しラベル状の無線タグラベルＴ（詳細は後述）を生成するカッタ（切断手段）１５と、上記無線通信による信号送受時において無線タグ回路素子Ｔoをアンテナ１４に対向する所定のアクセスエリアに設定保持するとともに、切断後の上記テープ１１０（＝無線タグラベルＴ）を案内するための一対の搬送ガイド１３と、その案内された無線タグラベルＴを搬出口（排出口）１６へと搬送し送出する送出ローラ１７と、搬出口１６における無線タグラベルＴの有無を検出する排出センサ１８とを有する。
【００４７】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００４８】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００４９】
図３は、カートリッジ１００の詳細構造を説明するための説明図である。
【００５０】
この図３において、カートリッジ１００は、筐体１００Ａと、この筐体１００Ａ内に配置され帯状の上記基材テープ１０１（タグテープ）が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする（＝テープ送りローラとしても機能する）圧着ローラ１０７とを有する。
【００５１】
第１ロール１０２は、リール部材１０２ａの周りに、長手方向に複数の無線タグ回路素子Ｔoが所定の等間隔で順次形成された上記基材テープ１０１を巻回している。
【００５２】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５３】
ベースフィルム１０１ｂの裏側（図３中左側）には、情報の送受信を行うアンテナ（アンテナ部）１５２が一体的に設けられており、これに接続するように情報を記憶するＩＣ回路部１５１が形成され、これらによって無線タグ回路素子Ｔoが構成されている。
【００５４】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５５】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００５６】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５７】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５８】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図６参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５９】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６０】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。
【００６１】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６２】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００６３】
図５は、上記無線タグ回路素子Ｔoの機能的構成を表す機能ブロック図である。この図５において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００６４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６５】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００６６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６７】
図６（ａ）及び図６（ｂ）は、上述のようにして無線タグ回路素子Ｔoの情報読み取り又は書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００６８】
これら図６（ａ）、図６（ｂ）、及び図７において、無線タグラベルＴは、複数（この例では２つ）の無線タグ回路素子Ｔoを含んでいる。無線タグラベルＴの無線タグ回路素子Ｔoを含む部分は、図７に示すように、図３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では「Report
A1」の文字）が印刷されている。
【００６９】
図８は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００７０】
図８において、この例では、タグラベルの種別（アクセス周波数及びテープ寸法）、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、タグラベル作成時にはその端末５又は汎用コンピュータ６の操作によりタグラベル作成装置２が作動されて、カバーフィルム１０３に上記印字文字Ｒが印刷されると共に、後述するようにＩＣ回路部１５１に上記書き込みＩＤ及び物品情報等の情報が書き込まれる（又はＩＣ回路部１５１に予め記憶された物品情報等の無線タグ情報が読みとられる）。なおこのとき、印刷動作に伴い搬送ガイド１３を移動中の印字済タグラベル用テープ１１０に対してアクセスエリア内に保持してアクセス（読み取り又は書き込み）するようにしてもよいし、印字済タグラベル用テープ１１０を所定位置で停止させて搬送ガイド１３にて保持した状態で上記アクセスを行うようにしてもよい。また、上記のような読み取り又は書き込みの際、生成された無線タグラベルＴの無線タグ回路素子ＴoのＩＤとその無線タグ回路素子ＴoのＩＣ回路部１５１に書き込まれた情報（又はＩＣ回路部１５１から読みとられた情報）との対応関係は、前述のルートサーバ４に記憶され、必要に応じて参照できるようになっている。
【００７１】
ここで、本発明の最も大きな特徴は、上述したように１つの無線タグラベルＴに複数の無線タグ回路素子Ｔoを配置可能な機能がタグラベル作成装置２に備えられていることであり、特に、この実施形態では、１つのタグラベルＴに、１つの無線タグ回路素子Ｔoを配置するか複数の無線タグ回路素子Ｔoを配置するかを切替可能とするとともに、その際に当該１つの無線タグラベルＴに配置する無線タグ回路素子Ｔoの個数ｎを操作者（ユーザ）が設定し、これに応じてタグラベル作成装置２が無線タグラベルＴを作成することにある。
【００７２】
図９は、このようにして行われる無線タグラベルＴの作成において、カバーフィルム１０３を搬送し印字ヘッド１０で所定の印字を行いつつ基材テープ１０１を貼り合わせて印字済タグラベル用テープ１１０とした後印字済タグラベル用テープ１１０を切断し無線タグラベルＴとする際に、制御回路３０によって実行される制御手順を表すフローチャートである。
【００７３】
この図９において、まずステップＳ１０５において、タグラベル作成装置２の書き込み操作が行われるとこのフローが開始される。そして、上記端末５又は汎用コンピュータ６を介して入力操作された、無線タグ回路素子ＴoのＩＣ回路部１５１に書き込みたい情報、及びこれに対応して、印字ヘッド１０により無線タグラベルＴへ印字すべき印字情報、さらに前述したように１つの無線タグラベルＴに配置したい無線タグ回路素子Ｔoの個数ｎが、通信回線３及び入出力インターフェイス３１を介し読み込まれる。なおこのときの無線タグ回路素子Ｔoの個数ｎは、操作者が全く自由に数値を入力できるようにしてもよいし、予め定められた個数範囲（例えば１個から数個まで等）内の選択表示から操作者が選択入力するようにしてもよい。またその場合に単数（１つ）とするか複数（２つ以上）とするかをまず入力又は選択するようにしてもよい。
【００７４】
その後、ステップＳ１１０において、無線タグ回路素子Ｔｏからの応答がないときのリトライ（再試行）の回数をカウントする変数Ｎ、及び通信良好か不良かを表すフラグＦを０に初期化する。
【００７５】
そして、ステップＳ１１５において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からはカバーフィルム１０３が繰り出される。またこのとき、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０５で読み込んだ文字、記号、バーコード等の印字Ｒを印刷させる。さらに送出ローラ駆動回路２９を介して送出ローラ用モータ２８に制御信号を出力し、送出ローラ１７Ａを回転駆動させる。以上の結果、前述したように基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【００７６】
その後、ステップＳ１２０において、印字済タグラベル用テープ１１０が所定値Ｃ（例えば、対応する印字が施されたカバーフィルム１０３が貼り合わされた無線タグ回路素子Ｔoが搬送ガイド１３に到達するだけの搬送距離）だけ搬送されたかどうかを判断する。このときの搬送距離判定は、例えば、上記基材テープ１０１に設けた適宜の識別用マークを別途設けた公知のテープセンサで検出することにより行えば足りる。判定が満たされたら、ステップＳ２００に移る。ステップＳ２００では、タグ情報書き込み処理を行い、書き込むためのメモリ初期化（消去）を行った後、無線タグ情報を無線タグ回路素子Ｔoに送信して書き込む（詳細は後述の図１０参照）。このステップＳ２００が終了したらステップＳ１２２に移る。
【００７７】
ステップＳ１２２では、ステップＳ１０５で入力されたｎ個すべての無線タグ回路素子Ｔoについて上記ステップＳ２００の無線タグ情報の書き込み処理が終了したかどうかを判定する。この判定は、適宜の箇所（例えば制御回路３０内）に設けたカウンタ手段にステップＳ２００の処理が終わるたびにその回数をカウントしておき、このカウント値が上記ステップＳ１０５で入力されたｎに等しくなったかどうかを判定すればよい。また、上述のステップＳ１２０におけるテープセンサによる識別用マークの検出回数カウント値によって判定してもよい。
【００７８】
まだ書き込み処理が終わっていない無線タグ回路素子Ｔoが残っている場合には判定が満たされず、ステップＳ１２０に戻って同様の手順を繰り返す。すなわち直前の無線タグ回路素子Ｔoの書き込み処理が終わったこの状態からさらに搬送を継続して前述の所定値Ｃだけ再び印字済タグラベル用テープ１１０が搬送されたらステップＳ１２０が再び満たされてステップＳ２００で次の無線タグ回路素子Ｔoへの書き込み処理を行い、ｎ個すべてが終了するまでこれを繰り返す。この結果、すべてのｎ個の無線タグ回路素子ＴoのＩＣ回路部１５１に対して対応する所定の（この例では各無線タグ回路素子Ｔoに実質的に同一の）無線タグ情報が書き込まれる。
【００７９】
ここで実質的に同一とは以下のような意味である。すなわち、各無線タグ回路素子ＴoのＩＣ回路部１５１に書き込まれる識別番号ＩＤ（＝ＩＤ情報）は、混信を防止するために、各無線タグ回路素子Ｔoの情報自体を同一とせずにそれぞれ別個のものが設定されるが、後にこれを読み取ったときに情報サーバ７やルートサーバ４より関連づけられて読み出される情報（例えば物品情報等）が同一となる（ＩＣ回路部１５１に書き込まれる情報が異なっても関連づけられる情報が同一である）ようになっているものである。この手法は各種考えられ、サーバのデータベース自体にそれぞれ同一の情報を格納しておいてもよいし、いずれの無線タグ回路素子Ｔoからも共通の１つの情報が関連づけられるようにしておく手法もある。また、ＩＣ回路部１５１にＩＤ情報のみならず上記物品情報等も併せて書き込まれる場合には、ＩＤ情報部分は異なるものであるが物品情報等については同一の情報とすればよい。これらのいずれの場合も、各無線タグ回路素子ＴoのＩＣ回路部について対応する物品情報等は同一であるから、ＩＣ回路部１５１に書き込む情報は実質的に同一であるといえる。
【００８０】
以上のようにしてｎ個すべての書き込み処理が終了したら、ステップＳ１２２の判定が満たされ、ステップＳ１２５に移る。
【００８１】
ステップＳ１２５では、フラグＦ＝０であるかどうかが判定される。書き込み処理が正常に完了していればＦ＝０のまま（後述の図１０に示すフローのステップＳ３５０参照）であるので、この判定が満たされ、ステップＳ１３０に移る。
【００８２】
ステップＳ１３０では、上記ステップＳ２００で無線タグ回路素子ＴoのＩＣ回路部１５１へ書き込まれた情報と、これに対応して既に印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００８３】
その後、ステップＳ１３５で、カバーフィルム１０３のうちこの時点で処理対象としている無線タグ回路素子Ｔoに対応する領域への印字がすべて完了しているかどうかを確認した後、ステップＳ１４０へ移る。
【００８４】
なお、先に述べたステップＳ１２５において、何らかの理由で書き込み処理が正常に完了していない場合はＦ＝１とされている（後述の図１０に示すフローのステップＳ３８５参照）のでステップＳ１２５の判定が満たされず、ステップＳ１３７に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、ステップＳ１４０へ移る。
【００８５】
ステップＳ１４０では、印字済タグラベル用テープ１１０がさらに所定量（例えば、対象とする無線タグ回路素子Ｔo及びこれに対応するカバーフィルム１０３の印字領域のすべてがカッタ１５を所定の長さ(余白量)分越えるだけの搬送距離）だけ搬送されたかどうかを判断する。このときの搬送距離判定も、前述のステップＳ１２０と同様、例えばマーキングをテープセンサで検出することにより行えば足りる。判定が満たされたら、ステップＳ１４５に移る。
【００８６】
ステップＳ１４５では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【００８７】
その後、ステップＳ１５０でソレノイド駆動回路２７に制御信号を出力してソレノイド２６を駆動し、カッタ１５によって印字済タグラベル用テープ１１０の切断を行う。前述したように、この時点で、例えば処理対象のｎ個の無線タグ回路素子Ｔo及びこれに対応するカバーフィルム１０３の印字領域のすべてがカッタ１５を十分に越えており、このカッタ１５の切断によって、ｎ個の無線タグ回路素子Ｔoに所定の無線タグ情報が書き込まれかつこれに対応する所定の印字（この例では前述のように共通の１つの単語）が行われたラベル状の無線タグラベルＴが生成される。
【００８８】
その後、ステップＳ１５５に移り、送出ローラ用駆動回路２９に制御信号を出力し、送出ローラ用モータ２８の駆動を再開して、送出ローラ１７を回転させる。
【００８９】
これにより、送出ローラ１７による搬送が再開されて上記ステップＳ１５０でラベル状に生成された無線タグラベルＴが搬出口１６へ向かって搬送され、搬出口１６からタグラベル作成装置２外へと排出される。
【００９０】
図１０は、上述したステップＳ２００の詳細手順を表すフローチャートである。
【００９１】
この図１０において、まず、ステップＳ３１０において、公知の適宜の手法で書き込み対象である１つの無線タグラベルＴに含まれる複数の無線タグ回路素子Ｔoの識別番号ＩＤ（＝ＩＤ情報）をそれぞれ設定し（前述したように、書き込まれる無線タグToの識別情報は常に各無線タグ回路素子Ｔoごとに異なるＩＤ情報が記憶され、混信することなく、それぞれの無線タグ回路素子にアクセスできるようになっている）、さらに情報書き込み対象とする無線タグ回路素子Ｔoがアンテナ１４近傍に搬送される。
【００９２】
その後、ステップＳ３２０において、無線タグ回路素子Ｔoのメモリ部１５７に記憶された情報を初期化する「Erase」コマンドを信号処理回路２２に出力する。これに基づき信号処理回路２２でアクセス情報としての「Erase」信号が生成されて高周波回路２１を介して書き込み対象の無線タグ回路素子Ｔoに送信され、そのメモリ部１５７を初期化する。
【００９３】
次に、ステップＳ３３０において、メモリ部１５７の内容を確認する「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ３４０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【００９４】
次に、ステップＳ３５０において、リプライ信号に基づき、当該無線タグ回路素子Ｔoのメモリ部１５７内の情報を確認し、メモリ部１５７が正常に初期化されたか否かを判定する。
【００９５】
判定が満たされない場合はステップＳ３６０に移ってＭに１を加え、さらにステップＳ３７０においてＭ＝５かどうかが判定される。Ｍ≦４の場合は判定が満たされずステップＳ３２０に戻り同様の手順を繰り返す。Ｍ＝５の場合はステップＳ３８０に移り、エラー表示信号を入出力インターフェイス３１及び通信回線３を介し上記端末５又は汎用コンピュータ６へ出力し、対応する書き込み失敗（エラー）表示を行わせ、このフローを終了する。このようにして初期化が不調でも５回までは再試行が行われる。
【００９６】
ステップＳ３５０の判定が満たされた場合、ステップＳ３９０に移り、所望のデータをメモリ部１５７に書き込む「Program」コマンドを信号処理回路２２に出力する。これに基づき信号処理回路２２でアクセス情報としての「Program」信号（＝上記ＩＤ情報等の無線タグ情報）が生成されて高周波回路２１を介して情報書き込み対象の無線タグ回路素子Ｔoに送信され、そのメモリ部１５７に情報が書き込まれる。
【００９７】
その後、ステップＳ４００において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ４１０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【００９８】
次に、ステップＳ４２０において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【００９９】
判定が満たされない場合はステップＳ４３０に移ってＮに１を加え、さらにステップＳ４４０においてＮ＝５かどうかが判定される。Ｎ≦４の場合は判定が満たされずステップＳ３９０に戻り同様の手順を繰り返す。Ｎ＝５の場合は前述したステップＳ３８０に移り、同様に上記端末５又は汎用コンピュータ６に対応する書き込み失敗（エラー）表示を行わせ、ステップＳ３８５で前述のフラグＦ＝１にして、このフローを終了する。このようにして情報書き込みが不調でも５回までは再試行が行われる。
【０１００】
ステップＳ４２０の判定が満たされた場合、ステップＳ４５０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、このフローを終了する。
【０１０１】
以上のルーチンにより、カートリッジ１００内のアクセス対象の無線タグ回路素子Ｔoに対し、ＩＣ回路部１５１に所望の無線タグ情報（ＩＤ情報等）を書き込むことができる。
【０１０２】
以上において、信号処理回路２２及び高周波回路２１の送信部３２は、各請求項記載の、ＩＣ回路部１５１へのアクセス情報(「Scroll All ID」信号、「Erase」信号、「Verify」信号、「Program」信号等)を生成し、装置側アンテナを介して無線タグ回路素子へ送信し、無線タグ回路素子のＩＣ回路部への情報書き込み又はＩＣ回路部からの情報読み取りを行う情報アクセス手段を構成する。
【０１０３】
また、操作者が１つの無線タグラベルＴに配置する無線タグ回路素子Ｔoの個数設定を行う前述の端末５又は汎用コンピュータ６が、１つの前記タグラベルに配置する無線タグ回路素子の個数を、操作者が設定可能な個数設定手段を構成する。  またこの個数設定に応じて制御回路３０が実行する図９のフローのステップＳ１０５がタグラベルへの無線タグ回路素子の配置個数を決定する個数決定手段を構成し、ステップＳ１２２が無線タグ回路素子の情報書き込み又は情報読み取りの処理済個数を検出する個数検出手段を構成し、ステップＳ１５０が個数決定手段で決定した配置個数と、個数検出手段で検出した処理済み個数とに応じて、切断手段の制御を行う切断制御手段を構成し、ステップＳ１２０及びステップＳ２００が、個数決定手段で決定した配置個数と個数検出手段で検出した処理済み個数とに応じて情報アクセス手段を制御する情報アクセス制御手段を構成する。
【０１０４】
以上説明したように、本実施形態のタグラベル作成装置２においては、略等間隔にて複数個の無線タグ回路素子Ｔoを配置した基材テープ１０１を繰り出し、この繰り出された基材テープ１０１と印字済みのカバーフィルム１０３を貼り合わせた印字済みタグラベル用テープ１１０をカッタ１５で切断して無線タグラベルＴを作成する際、（この例では端末５又は汎用コンピュータ６で個数ｎを設定することで）１つの無線タグラベルＴに複数の無線タグ回路素子Ｔoを配置可能としている。これにより、例えば当初より操作者側として無線タグラベルＴのラベル長を長くしたい、あるいはＩＣ回路部１５１への書き込み情報量を多くしたい、あるいは印字する印字文字数を多くしたい、あるいはそれらに関係なく複数の無線タグ回路素子Ｔoを無線タグラベルＴに配置したい等の意図があった場合、（この例では端末５又は汎用コンピュータ６でｎ≧２と設定することで）２個以上の無線タグ回路素子Ｔoが１つの無線タグラベルＴに配置されるように上記繰り出し及び切断を行うことができ、上記操作者のニーズに対応した無線タグラベルＴを容易に作成でき、利便性を向上することができる。
【０１０５】
このとき特に、本実施形態では、前述したように、１つの無線タグラベルＴに複数の無線タグ回路素子Ｔoを配置する場合に、当該複数の無線タグ回路素子ＴＯのＩＣ回路部１５１に、実質的に同一の情報（ＩＤ情報を含む無線タグ情報）を書き込むことができる。
【０１０６】
このような複数無線タグ回路素子Ｔo入りの無線タグラベルＴを活用できる一例としては、例えば図１１に示すように、無線タグラベルＴの貼り付け対象物として、鉄製の容器Ｖに油等が充填されたドラム缶、あるいは食品や加工品が詰められた缶づめ、若しくはガラス瓶等の容器Ｖに飲料や薬剤が入っている場合等が考えられる。これら容器Ｖの内容物が電波を通さない（又は通しにくい）物質である場合、容器Ｖに無線タグラベルＴを貼り付けて無線タグ回路素子Ｔoにて電波を受信する場合、その貼り付け位置によっては電波到来方向からは死角となり、受信が困難となる場合が考えられる。このような場合に、図１１に示すように複数の無線タグ回路素子Ｔoを備えた本実施形態に係る無線タグラベルＴを貼付するようにすれば、仮に一方側の無線タグ回路素子Ｔoが死角になったとしても他方の無線タグ回路素子Ｔoにおいて通常の電波送受による情報書き込み・読み出し機能を確保することができる。
【０１０７】
また、上記のように特に死角が生じる等ではない場合であっても、複数の無線タグ回路素子Ｔoのうち１つをいわゆるバックアップ用として用いることも可能である。すなわち、複数の無線タグ回路素子ＴoうちいずれかのＩＣ回路部１５１との情報送受が何らかの理由で不可能となったとしても、バックアップ用の無線タグ回路素子ＴoのＩＣ回路部１５１を利用することで当該情報の送受を確保することが可能となる。この場合、先の図１０に示したステップＳ４５０の「Lock」操作（上書き不能とする操作）は、当該バックアップ用の無線タグ回路素子Ｔoに対してのみ行い、それ以外はいつでも上書き更新可能とするようにしてもよい。
【０１０８】
さらに、上記のように特に死角が生じる等ではない場合であっても、到来する  電波への受信範囲を広く取りたい場合にも、上記のように複数個の無線タグ回路素子Ｔoを１つの無線タグラベルＴに設けることは有効である。
【０１０９】
なお、本発明は、その趣旨と技術思想の範囲を逸脱しない範囲でさらに種々の変形が可能である。以下、そのような変形例を説明する。
【０１１０】
（１）印字態様のバリエーション
上記実施形態においては、図６（ａ）に示したように、複数の（この例では２つの）無線タグ回路素子Ｔoの配置位置にまたがるように印字（この例では「Report A1」の文字）を行うようにした（図１２（ａ）はこれを簡略的に表したものである）が、これに限られず、他の印字態様としてもよい。
【０１１１】
例えば、図１２（ｂ）に示すように、複数個の無線タグ回路素子Ｔoのうちいずれか１つ（この例では最初の）無線タグ回路素子Ｔoに対応する領域から印字を開始する（よって短い場合にはその無線タグ回路素子Ｔoに対応する領域にのみ当該印字を行う）ようにしてもよい。例えば、注意書き、使用方法など、文章的な比較的長い印字を行う場合に好適である。また印字が比較的短い場合には、図１２（ｃ）に示すように、複数個の無線タグ回路素子Ｔoのそれぞれに対応する領域にそれぞれ印字を行うようにしたり、さらに、印字文字を大きくして視認しやすくしたいような場合には、図１２（ｄ）に示すように、複数個の無線タグ回路素子Ｔoの中間領域に印字を行うようにしてもよい。
【０１１２】
また、上記印字態様のバリエーションについては、操作者側のニーズに応じて、適宜選択可能としてもよい。その場合、端末５又は汎用コンピュータ６において予め組み込まれたソフトウェアによって適宜の操作ツール（アプリケーション又はいわゆるテンプレート）が起動され、操作者がどのような態様の印字を行えるかをその操作によって入力又は選択可能とすることが好ましい。
【０１１３】
（２）印字長（印字情報量）に応じて切り替える場合
図１３は、この変形例において制御回路３０が実行する制御手順を表すフローチャートである。
【０１１４】
図１３に示すフローにおいては、まず、ステップＳ１０５に代えて設けたステップＳ１０５′で、上記ステップＳ１０５と同様、上記端末５又は汎用コンピュータ６を介して入力操作された、無線タグ回路素子ＴoのＩＣ回路部１５１に書き込みたい情報、及びこれに対応して印字ヘッド１０により無線タグラベルＴへ印字すべき印字情報が通信回線３及び入出力インターフェイス３１を介し読み込まれる。
【０１１５】
その後、新たに設けたステップＳ１０７に移り、上記ステップＳ１０５′で入力した印字情報の情報量に応じて、無線タグラベルＴに配置すべき無線タグ回路素子Ｔoの個数ｎが決定される。この決定は、例えば予め制御回路３０内にテーブルの形で格納保持された、印字情報の量と無線タグ回路素子Ｔoの個数ｎとの相関とを参照して行うものであり、当該相関においては印字情報の量が多くなるほど（印字に必要となる無線タグラベル長が長くなるのに対応させる形で）無線タグ回路素子Ｔoの個数ｎを順次増加させるように定められている。
【０１１６】
このステップＳ１０７が終了すると、ステップＳ１１０に移る。これ以降は図９と同様であるので説明を省略する。
【０１１７】
上記において、上記端末５又は汎用コンピュータ６が、各請求項記載の、印字手段で印字する文字や図柄等を操作者が設定可能な印字設定手段を構成し、制御回路３０が実行する図１３のステップＳ１０７が、タグラベルへの無線タグ回路素子の配置個数を決定する個数決定手段を構成する。
【０１１８】
本変形例においては、端末５又は汎用コンピュータ６で操作者が望む文字や図柄等の設定を行うと、その設定に応じて制御回路３０が１つの無線タグラベルＴに配置されるべき無線タグ回路素子Ｔoの個数ｎを決定し、そのｎ個の無線タグ回路素子Ｔoが配置されるようにタグラベル作成装置２が制御される。この結果、操作者が印字したい文字の長さや図柄の大きさ等に応じ配置される無線タグ回路素子Ｔoの数を調整し、高い自由度で無線タグラベルＴを作成できるので、利便性を向上することができる。
【０１１９】
なお、上記は印字情報量（印字文字長さ等）に応じて、無線タグ回路素子Ｔoの配置個数ｎを切り替えたが、これに限られず、印字態様（どのようなフォントが選ばれたか、日本語文字かアルファベットか、テキストか画像か等）に応じて無線タグ回路素子Ｔoの配置個数ｎを切り替えるようにしてもよい。この場合も、上記同様、操作者の利便性を向上できる効果を得る。
【０１２０】
（３）ラベル長を選択して切り替える場合
図１４は、この変形例において制御回路３０が実行する制御手順を表すフローチャートである。
【０１２１】
図１４に示すフローにおいては、まず、上記実施形態のステップＳ１０５に代えて設けたステップＳ１０５″で、上記端末５又は汎用コンピュータ６を介して入力操作された、無線タグ回路素子ＴoのＩＣ回路部１５１に書き込みたい情報、及びこれに対応して印字ヘッド１０により無線タグラベルＴへ印字すべき印字情報、さらに、操作者が作成したい無線タグラベルＴのラベル長が通信回線３及び入出力インターフェイス３１を介し読み込まれる。
【０１２２】
その後、新たに設けたステップＳ１０７″に移り、上記ステップＳ１０５″で入力した無線タグラベルＴのラベル長に応じて、無線タグラベルＴに配置すべき無線タグ回路素子Ｔoの個数ｎが決定される。この決定は、例えば予め制御回路３０内にテーブルの形で格納保持された、無線タグラベルＴのラベル長と無線タグ回路素子Ｔoの個数ｎとの相関とを参照して行うものであり、当該相関においてはラベル長が長くなるにつれて無線タグ回路素子Ｔoの個数ｎを増加させるように定められている。
【０１２３】
このステップＳ１０７″が終了すると、ステップＳ１１０に移る。これ以降は図９と同様であるので説明を省略する。
【０１２４】
上記において、上記端末５又は汎用コンピュータ６が、各請求項記載の、タグラベルの長さを操作者が設定可能なラベル長設定手段を構成し、制御回路３０が実行する図１４に示すフローのステップＳ１０７″がタグラベルへの無線タグ回路素子の配置個数を決定する個数決定手段を構成する。
【０１２５】
本変形例においては、端末５又は汎用コンピュータ６で操作者が望むラベル長の設定を行うと、その設定に応じて制御回路３０が１つの無線タグラベルＴに配置されるべき無線タグ回路素子Ｔoの個数ｎを決定し、そのｎ個の無線タグ回路素子Ｔoが配置されるようにタグラベル作成装置２が制御される。この結果、操作者が望むラベル長に対応し配置される無線タグ回路素子Ｔoの個数を調整し、高い自由度で無線タグラベルＴを作成できるので、利便性をさらに向上することができる。
【０１２６】
（４）複数の無線タグ回路素子Ｔoに別々の情報を書き込む場合
このような例としては、まず、無線タグ回路素子Ｔoへの書き込み情報量に応じて配置個数ｎを切り替え制御する場合が考えられる。図１５は、この変形例において制御回路３０が実行する制御手順を表すフローチャートである。
【０１２７】
図１５に示すフローにおいては、上記（２）の変形例と同様、まずステップＳ１０５′で、上記端末５又は汎用コンピュータ６を介して入力操作された、無線タグ回路素子ＴoのＩＣ回路部１５１に書き込みたい情報、及びこれに対応して、印字ヘッド１０により無線タグラベルＴへ印字すべき印字情報が通信回線３及び入出力インターフェイス３１を介し読み込まれる。
【０１２８】
その後、ステップＳ１０７′に移り、上記ステップＳ１０７と同様、上記ステップＳ１０５′で入力した書き込み情報の情報量に応じて、無線タグラベルＴに配置すべき無線タグ回路素子Ｔoの個数ｎが決定される。この決定は、例えば予め制御回路３０内にテーブルの形で格納保持された、書き込み情報量と無線タグ回路素子Ｔoの個数ｎとの相関とを参照して行うものであり、当該相関においては書き込み情報の量が多くなるほど（１つの無線タグ回路素子Ｔoに書き込み可能な情報量に制約があることに対応させる形で）無線タグ回路素子Ｔoの個数ｎを順次増加させるように定められている。
【０１２９】
このステップＳ１０７′が終了すると、新たに設けたステップＳ１０８に移る。ステップＳ１０８では、上記ステップＳ１０７′で決定した無線タグ回路素子Ｔoの個数ｎに対応して、前述のステップＳ１０５′で入力した書込情報を、各無線タグ回路素子Ｔoに対応するように適宜にｎ個に分割する。分割した後の情報は、例えば制御回路３０内のＲＡＭに一旦記憶させればよい。
【０１３０】
ステップＳ１０８の終了後は、ステップＳ１１０に移る。これ以降は図９及び図１３と同様であるので説明を省略する。なお、ステップＳ１２０→ステップＳ２００→ステップＳ１２３→ステップＳ１２０→…と繰り返してステップＳ２００で書き込み処理を行う際には、上記ｎ分割されＲＡＭに記憶された各分割情報を、順次ＩＣ回路部１５１へ書き込んでいくようにする。
【０１３１】
上記において、制御回路３０の実行する図１５のフローのステップＳ１０５′が、各請求項記載の、ＩＣ回路部へ書き込まれる情報量又はＩＣ回路部より読みとられる情報量を検出する情報量検出手段を構成し、ステップＳ１０７′が、タグラベルへの無線タグ回路素子の配置個数を決定する個数決定手段を構成する。
【０１３２】
本変形例においては、端末５又は汎用コンピュータ６で操作者が無線タグ回路素子ＴoのＩＣ回路部１５１へ書き込みたい所定の情報を操作入力すると、その情報量に応じて、制御回路３０が１つの無線タグラベルＴに配置されるべき無線タグ回路素子Ｔoの個数ｎを決定し、そのｎ個の無線タグ回路素子Ｔoが配置されるようにタグラベル作成装置２が制御される。この結果、操作者が書き込みたい情報量に応じ無線タグ回路素子Ｔoの数を調整し、高い自由度で無線タグラベルＴを作成できるので、利便性を向上することができる。
【０１３３】
なお、上記のように、操作者としては１つの情報を入力したのに対して書き込み情報として分割して各無線タグ回路素子Ｔoに入力するのに限られず、操作者側で複数の情報を入力し、これに対応して順次各無線タグ回路素子Ｔoを対応させて書き込みを行っていくようにしてもよい。この場合は、例えば図９のステップＳ１０５において複数の書き込み情報を入力し（無線タグ回路素子Ｔoの個数ｎは入力してもよいし、書込情報の数と同数と見なすこととしてｎを入力しないようにしてもよい）、その後のステップＳ２００でそれら複数の書込情報を順次無線タグ回路素子Ｔoに書き込み処理するようにすれば足りる。
【０１３４】
図１６は、このような無線タグラベルＴの活用例を表したものであり、この例では、整理棚ＲＣの上段側に複数の資料（この例ではＡ資料、Ｂ資料、Ｃ資料、Ｄ資料、Ｅ資料、Ｆ資料、Ｇ資料）及び下段側にも複数の資料（この例ではＨ資料、Ｉ資料、Ｊ資料、Ｋ資料、Ｌ資料、Ｍ資料、Ｎ資料）がある（資料自体の図示は省略）。
【０１３５】
これらにそれぞれ対応して、上段側に、Ａ資料、Ｂ資料、Ｃ資料、Ｄ資料、Ｅ資料、Ｆ資料、Ｇ資料に関する情報を記憶した７つの無線タグ回路素子を備えた無線タグラベルＴが貼付されており、一方下段側にも、Ｈ資料、Ｉ資料、Ｊ資料、Ｋ資料、Ｌ資料、Ｍ資料、Ｎ資料に関する情報を記憶した７つの無線タグ回路素子を備えた７つの無線タグラベルＴが貼付されている。これらの場合、１枚の無線タグラベルＴに含まれる無線タグ回路素子Ｔoはそれぞれ７枚ずつとなり、各無線タグ回路素子ＴoのＩＣ回路部１５０には対応する資料に関する情報が記憶される。
【０１３６】
図１７は、別の活用例を表したものであり、この例は、地下鉄の駅の壁面等に駅名表示案内として１枚の無線タグラベルＴが貼り付けられる場合の例である。この例では、当該駅の駅名「堀田」及び次の駅の駅名「名古屋」にそれぞれ対応した情報を記憶した２つの無線タグ回路素子Ｔoを備えた無線タグラベルＴが貼付されている。
【０１３７】
この場合、例えば、携帯用のリーダ端末を備えた乗客が、「堀田」の文字の前に端末をかざすと対応する図示左側の無線タグ回路素子Ｔoと通信が行われて堀田駅の各種情報が読みとられ、次に「名古屋」の文字の前に端末をかざすと対応する図示右側の無線タグ回路素子Ｔoと通信が行われて名古屋駅までの所要時間や乗り換え案内等の各種情報が読みとられ、端末の画面上に表示される。
【０１３８】
（５）その他
（Ａ）複数個配置するが１つしか使用しない場合
上記はいずれも１つの無線タグラベルＴに配置した複数の無線タグ回路素子Ｔoのすべてについて、その機能（無線通信機能）を使用する例であったが、これに限られない。すなわち、タグラベル作成装置２側は、当該無線タグラベルＴの複数の無線タグ回路素子Ｔoのうち一部の無線タグ回路素子ＴoのＩＣ回路部１５１のみに情報を書き込み、他の無線タグ回路素子Ｔoの機能を無効化する（休眠化も含む等）ようにしてもよい（前述の「Lock」信号参照）。
【０１３９】
この場合、複数の無線タグ回路素子ＴoのＩＣ回路部１５１のうち一方のみに情報を書き込み残りは無効化する、すなわち複数のＩＣ回路部１５１があっても利用するＩＣ回路部１５１はそのうち１つに限定することで、情報送受時の混信等が発生するのを確実に防止することができる。
【０１４０】
（Ｂ）モード選択
すなわち、以上説明したような無線タグ回路素子Ｔoの配置制御に関するバリエーションを、予め操作者が選択可能なモード（例えば、上記実施形態に対応する「タグ数優先モード」、上記（２）変形例に対応する「印字長優先モード」、上記（３）変形例に対応する「ラベル長優先モード」、上記（４）変形例に対応する「複数タグモード」「情報量優先モード」、上記（５）（Ａ）変形例に対応する「１タグ限定モード」等）として備え、無線タグラベル作成装置２にて作成を開始する前に、上記端末５や汎用コンピュータ６等からモード選択を行うようにしてもよい。
【０１４１】
さらに同様の観点から、各無線タグラベルＴに１つの無線タグ回路素子Ｔoを配置する「単数配置モード」と、各無線タグラベルＴに複数の無線タグ回路素子Ｔoを配置する「複数配置モード」とを一番最初に選択するようにしてもよい。
【０１４２】
（Ｃ）情報読み取りのみを行う場合
以上においては、無線タグ回路素子ＴoのＩＣ回路部１５１に情報書き込みを行う場合を例にとって説明したが、これに限られず、情報読み取りのみが可能な無線タグ回路素子Ｔoを備えた無線タグラベルＴの生成システムに本発明を適用してもよい。この場合も同様の効果を得る。
【０１４３】
（Ｄ）貼り合わせを行わない場合
すなわち、上記実施形態のように、無線タグ回路素子Ｔoを備えたタグテープ（基材テープ）１０１とは別のカバーフィルム１０３に印字を行ってこれらを貼り合わせるのではなく、タグテープに備えられたカバーフィルムに印字を行うタグラベル作成装置に本発明を適用してもよい。この場合、印字対象のテープに無線タグ回路素子Ｔoが備えられることとなるが、当該テープとして感熱テープを用いることもできる。この場合も、上記実施形態と同様の効果を得る。
【０１４４】
なお、以上で用いた「Scroll
All ID」信号、「Erase」信号、「Verify」信号、「Program」信号等は、ＥＰＣ  ｇｌｏｂａｌが策定したＡｕｔｏ−ＩＤ仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１４５】
その他、一々例示はしないが、本発明は、その趣旨を逸脱しない範囲内において、種々の変更が加えられて実施されるものである。
【図面の簡単な説明】
【０１４６】
【図１】本発明の一実施形態のタグラベル作成装置が適用される無線タグ生成システムを表すシステム構成図である。
【図２】図１に示したタグラベル作成装置の詳細構造を表す概念的構成図である。
【図３】カートリッジの詳細構造を説明するための説明図である。
【図４】高周波回路の詳細機能を表す機能ブロック図である。
【図５】無線タグ回路素子の機能的構成を表す機能ブロック図である。
【図６】無線タグラベルの外観の一例を表す上面図及び下面図である
【図７】図６中VII−VII′断面による横断面図である。
【図８】無線タグ情報のアクセスに際し、端末又は汎用コンピュータに表示される画面の一例を表す図である。
【図９】無線タグラベルの作成時に、制御回路によって実行される制御手順を表すフローチャートである。
【図１０】図９におけるステップＳ２００の詳細手順を表すフローチャートである。
【図１１】複数無線タグ回路素子入りの無線タグラベルを活用できる一例を表す説明図である。
【図１２】無線タグラベルへの印字態様のバリエーションを表す概念的上面図である。
【図１３】印字長（印字情報量）に応じて切り替える変形例において制御回路が実行する制御手順を表すフローチャートである。
【図１４】ラベル長を選択して切り替える変形例において制御回路が実行する制御手順を表すフローチャートである。
【図１５】無線タグ回路素子への書き込み情報量に応じて配置個数を切り替え制御する変形例において制御回路が実行する制御手順を表すフローチャートである。
【図１６】複数の書込情報を複数の無線タグ回路素子に順次書き込み処理した無線タグラベルの実際の活用例を表した説明図である。
【図１７】複数の書込情報を複数の無線タグ回路素子に順次書き込み処理した無線タグラベルの他の活用例を表した説明図である。
【符号の説明】
【０１４７】
２                タグラベル作成装置
５                端末（個数設定手段；印字設定手段；ラベル長設定手段）
６                汎用コンピュータ（個数設定手段；印字設定手段；ラベル
長設定手段）
１０              印字ヘッド（印字手段）
１２              圧着ローラ駆動軸（駆動手段）
１４              アンテナ（装置側アンテナ）
１５              カッタ（切断手段）
２１              高周波回路
２２              信号処理回路（情報アクセス手段）
３０              制御回路
３２              送信部（情報アクセス手段）
１０１            基材テープ（タグテープ）
１１０            印字済みタグラベル用テープ
１５１            ＩＣ回路部
１５２            アンテナ（タグ側アンテナ）
Ｔ                無線タグラベル（タグラベル）
Ｔo               無線タグ回路素子
【図１】
2006171836.tif 000003
【図２】
2006171836.tif 000004
【図３】
2006171836.tif 000005
【図４】
2006171836.tif 000006
【図５】
2006171836.tif 000007
【図６】
2006171836.tif 000008
【図７】
2006171836.tif 000009
【図８】
2006171836.tif 000010
【図９】
2006171836.tif 000011
【図１０】
2006171836.tif 000012
【図１１】
2006171836.tif 000013
【図１２】
2006171836.tif 000014
【図１３】
2006171836.tif 000015
【図１４】
2006171836.tif 000016
【図１５】
2006171836.tif 000017
【図１６】
2006171836.tif 000018
【図１７】
2006171836.tif 000019